(57)【要約】      （修正有）【課題】縦方向か横方向かという特徴については同一である複数種類のバーコードであっても、取引用媒体の種類を判別できる取引装置を提供する。【解決手段】バーコードを読取るラインセンサ１０と、該ラインセンサ１０のＣＣＤ２０の配列に対して通帳を相対的に垂直方向に移動する搬送ローラーと、前記ラインセンサ１０で読取った画像情報に基づいて判定処理を実行する制御部５０とを備え、バーコードが印刷された複数種類の通帳を取り扱う通帳取扱装置３２であって、前記制御部５０は、前記バーコードのバー長手方向の黒画素数に基づいて前記通帳の種類を判定する取引用媒体種別判定処理を実行する通帳取扱装置３２。【選択図】図２
2008310386.tif 000002
【特許請求の範囲】
【請求項１】
バーコードを読取るラインセンサ部と、該ラインセンサ部のＣＣＤ配列に対して取引用媒体を相対的に垂直方向に移動する駆動部と、前記ラインセンサ部で読取った画像情報に基づいて判定処理を実行する制御部とを備え、バーコードが印刷された複数種類の取引用媒体を取り扱う取引装置であって、
前記制御部は、
前記バーコードのバー長手方向の画素量に基づいて前記取引用媒体の種類を判定する取引用媒体種別判定処理を実行する
取引装置。
【請求項２】
前記制御部は、
前記バーコードの一方向の黒画素数が認識しきい値以上であるスキャンが該一方向と直交する方向に型判定しきい値以上連続するか否かにより第１型バーコードか第２型バーコードかを判定するバーコード種別判定処理を実行し、
その後に前記取引用媒体種別判定処理を実行する
請求項１記載の取引装置。
【請求項３】
バーコードを読取るラインセンサ部と、ラインセンサ部のＣＣＤ配列に対し取引用媒体を相対的に垂直方向に移動する駆動部と、
画像情報の２値化処理を行う制御部及びバーコードの特徴を区別する為のしきい値情報を格納するメモリを備え、バーコードが印刷された複数種類の取引用媒体を取り扱う取引装置であって、
前記ラインセンサ部のＣＣＤ配列方向と垂直方向のバーの組合せで形成された同型のバーコードを持つ複数種類の取引用媒体を取り扱う場合に、
前記駆動部により前記ラインセンサ部と前記バーコードを前記ＣＣＤ配列方向と垂直方向に相対的に移動して連続的にスキャンを行い、
該スキャンで取得した前記ＣＣＤ配列方向の黒画素数が認識しきい値を超えるスキャンが連続する列数と、予め前記メモリに記憶された種別判定しきい値とを比較することで取引用媒体の種別を判定する
取引装置。
【請求項４】
バーコードを読取るラインセンサ部と、ラインセンサ部のＣＣＤ配列に対し取引用媒体を相対的に垂直方向に移動する駆動部と、画像情報の２値化処理を行う制御部及びバーコードの特徴を区別する為のしきい値情報を格納するメモリを備え、バーコードが印刷された複数種類の取引用媒体を取り扱う取引装置であって、
前記ラインセンサ部のＣＣＤ配列方向と水平方向のバーの組合せで形成された同型のバーコードを持つ複数種類の取引用媒体を取り扱う際に、
前記駆動部により前記ラインセンサ部と前記バーコードを前記ＣＣＤ配列方向と垂直方向に相対的に移動して連続的にスキャンを行い、
該スキャンで取得した前記ＣＣＤ配列方向の黒画素数と、予め前記メモリに記憶された種別判定しきい値とを比較することで取引用媒体の種別を判定する
取引装置。
【発明の詳細な説明】
【技術分野】
【０００１】
この発明は、例えば、通帳その他の取引用媒体を取り扱う取引用媒体取扱装置に関し、特に複数種類の取引用媒体の使用を許容し、各種類の取引用媒体のバーコードの特徴に基づいて使用された取引用媒体を判別するような取引装置に関する。
【背景技術】
【０００２】
金融機関等では、ユーザに対する入出金等の取引に現金自動取引装置（以下、ＡＴＭという）が使用されている。このＡＴＭは、通帳が使用される取引の際に、通帳に付された磁気ストライプ及び通帳の各頁に印刷されたバーコードから必要な情報を読取る。
【０００３】
ここで、通帳に付された磁気ストライプの位置やバーコードの仕様は、金融機関によって異なることがある。また、近年、金融機関の合併および提携が進んでいる。このため、磁気ストライプの位置やバーコードの仕様が異なる複数種類の通帳を、１台のＡＴＭで取扱可能にすることが要望されている。
【０００４】
複数種類の通帳から情報を読取る方法として、次の２つの方法が提案されている。  
まず、通帳の搬送方向に沿って縦型の磁気ストライプが付された通帳と、搬送方向に直交する方向に横型の磁気ストライプが付された通帳とが存在する場合に対応できる方法が提案されている（特許文献１参照）。この方法は、縦型の読取りと横型の読取りを順番に試し、読取れた磁気ストライプの位置あるいは読取れたデータのデータ形式により通帳種類を判別する。
【０００５】
また、別の方法として、通帳各頁の頁番号などの情報を表すバーコードとして、縦方向の線の組み合わせによるバーコードが印刷された通帳と、横方向の線の組合せによるバーコードが印刷された通帳が存在する場合に対応できる方法が提案されている（特許文献２参照）。この方法は、読取り成功したバーコードが縦方向か横方向かというバーコードの特徴により通帳種類を判別する。
【０００６】
前者の従来技術では、通帳種類を確定する為にそれぞれの磁気ストライプ読取り動作が発生する為、処理時間を要してしまうことがあった。特に、通帳種類は、縦型、横型のタイプの違いに加えて、磁気ストライプの位置の違いもあるため、この位置違いに対応して取り扱う通帳種別を多くすれば、それだけ処理時間が長くなるという問題点があった。
【０００７】
また、後者の従来技術では、縦方向のバーコードが複数種類ある場合や、横方向のバーコードが複数種類ある場合に、媒体種類を判別できないことがあった。
【特許文献１】特開平８−７２０６号公報
【特許文献２】特開２００３−１９６７０８号公報
【発明の開示】
【発明が解決しようとする課題】
【０００８】
この発明は、上述の問題に鑑み、縦方向か横方向かという特徴については同一である複数種類のバーコードであっても、取引用媒体の種類を判別できる取引装置を提供することを目的とする。
【課題を解決するための手段】
【０００９】
この発明は、バーコードを読取るラインセンサ部と、該ラインセンサ部のＣＣＤ配列に対して取引用媒体を相対的に垂直方向に移動する駆動部と、前記ラインセンサ部で読取った画像情報に基づいて判定処理を実行する制御部とを備え、バーコードが印刷された複数種類の取引用媒体を取り扱う取引装置であって、前記制御部は、前記バーコードのバー長手方向の画素量に基づいて前記取引用媒体の種類を判定する取引用媒体種別判定処理を実行する取引装置であることを特徴とする。
【発明の効果】
【００１０】
この発明により、縦方向か横方向かという特徴については同一である複数種類のバーコードであっても、取引用媒体の種類を判別できる取引装置を提供することができる。
【発明を実施するための最良の形態】
【００１１】
この発明の一実施形態を以下図面と共に説明する。  
図１は、現金自動取引装置３０とセンター装置３１とで構成される自動取引システム１の接続構成図を示し、図２は取引装置としての通帳取扱装置３２の制御部５０のブロック図を示し、図３は通帳取扱装置３２の構成図を示す。この実施例では、現金自動取引装置３０に搭載される通帳取扱装置３２に、本発明の判別方法を適用した場合について説明する。
【００１２】
自動取引システム１は、図１に示すように、現金自動取引装置３０とセンター装置３１が通信可能に接続されて構成されている。  
現金自動取引装置３０は、制御装置３３と、この制御装置３３に接続された通帳取扱装置３２および通信装置３４とを備えている。ここで、通帳取扱装置３２は、金融機関ごとに発行した通帳への記入などを行う装置である。  
センター装置３１は、制御装置３６と、この制御装置３６に接続された通信装置３５および記憶装置３７とを備えている。
【００１３】
この構成により、通帳取扱装置３２は、現金自動取引装置３０内の制御装置３３から通信装置３４，３５を介して、センター装置３１と通信する。通帳の磁気ストライプデータ及び頁バーコード情報は、センター装置３１内の記憶装置３７内の前回取引データや顧客情報と照合して、整合性が確認される。なお、センター接続をせず現金自動取引装置３０内に記憶装置を設けて、単独で整合性を確認する構成でも構わない。
【００１４】
図２に示すように、通帳取扱装置３２には、頁バーコード情報読取りを行う制御部５０が設けられている。この制御部５０には、画像センサ制御回路５１、ＣＰＵ５２、メモリ５３、および回線制御回路５４が、それぞれ互いに通信可能に設けられている。
【００１５】
回線制御回路５４は、上位である制御装置３３（図１参照）に接続されている。  
画像センサ制御回路５１は、ラインセンサ１０に接続されている。ラインセンサ１０には、複数の画素を一列に備えるＣＣＤ２０が設けられている。
【００１６】
この構成により、画像採取の際に、ラインセンサ１０内部のＬＥＤを点灯し、反射光に応じた各画素の出力電圧をＣＣＤ２０が画像センサ制御回路５１に入力する。画像センサ制御回路５１は、入力された出力電圧を増幅しＡＤ変換を行い、あらかじめ設定した白と黒レベルを決定する為のしきい値に対する比較により２値化処理し、メモリ５３に格納する。このデータ採取して格納する処理を、読取り中に周期的に連続して実行することで、２値画像情報が得られる。ＣＰＵ５２は、この画像情報を解析し、バーコード情報として回線制御回路５４を介して上位の制御装置３３に送信する。
【００１７】
図３は、通帳取扱装置３２における、頁バーコード情報及び磁気ストライプデータの読取機構の説明図である。  
通帳取扱装置３２は、ラインセンサ１０、取引用媒体としての通帳４０、挿入口４１、光学センサ４２，４３、搬送ローラー４４、および磁気ヘッド４５，４６，４７を備えている。
【００１８】
頁バーコード情報を読取る場合、通帳４０が挿入口４１から挿入されると、図示省略するモータ等の駆動部により回転する搬送ローラー４４にて通帳４０を挿入方向へ搬送する。通帳４０の上端部分が媒体有無を検知する光学センサ４２の上部にかかると、光学センサ４２は媒体有りを検知する。この検知の後に、通帳取扱装置３２は、ラインセンサ１０での画像採取を開始する。その後、通帳４０が光学センサ４３の上を通り過ぎると、光学センサ４３は媒体有りから無しを検知する。この媒体有りから無しを検知した時点で、ラインセンサ１０での画像採取を停止する。
【００１９】
ここで画像の上部のみの採取のみであれば光学センサ４３が媒体有りを検知した時点で画像採取を停止しても構わない。この場合でも、画像採取する領域内に頁バーコード情報が存在していれば、頁バーコード情報を取得できる。
【００２０】
また、挿入された通帳４０を一端奥まで取り込んだ後に逆方向（排出方向）に搬送し、光学センサ４３の検知で起動し、光学センサ４２で画像採取停止する構成にしても構わない。  
また、通帳４０を停止させ、ラインセンサ１０自体を通帳４０の挿入方向（あるは排出方向）へ移動することで画像を採取しても構わない。
【００２１】
磁気ストライプデータについて、通帳４０の搬送方向に沿って付された縦型の磁気ストライプを読取る場合であれば、通帳４０を搬送しつつ磁気ヘッド４５あるいは磁気ヘッド４６を押し上げながら読取るとよい。あるいは、通帳４０を停止した状態で磁気ヘッド４５，４６を通帳４０の挿入方向（あるは排出方向）へ押し付けながら移動して読取っても構わない。
【００２２】
また、搬送方向に直交する方向に付された横型の磁気ストライプデータを読取る場合であれば、通帳４０を停止した状態で磁気ヘッド４７を通帳４０の挿入方向と直交する方向に移動し、磁気ヘッド４７を通帳４０に押し付けながら読取るとよい。
【００２３】
図４は、４種類の通帳４０（４０ａ〜４０ｄ）の構成を説明する説明図である。  
４種類の通帳４０は、いずれも上下開きで同一サイズに形成されており、各頁に設けられて頁数を表す頁バーコード１１（１１ａ〜１１ｄ）と磁気ストライプ６５（６５ａ〜６５ｄ）が異なっている。頁バーコード１１の位置は、いずれも見開き上側部の上端中央付近に設けられており、磁気ストライプ６５は、いずれも見開き下側部に設けられている。
【００２４】
図４（Ａ）の通帳４０ａは、縦長（バー長手方向が縦）のバーが横並び配置された第１型バーコードとしての縦型頁バーコード１１ａと、縦長で左側に配置された磁気ストライプ６５ａが設けられている。  
図４（Ｂ）の通帳４０ｂは、縦長（バー長手方向が縦）のバーが横並び配置された第１型バーコードとしての縦型頁バーコード１１ｂと、横長で下側に配置された磁気ストライプ６５ｂが設けられている。
【００２５】
ここで、縦型頁バーコード１１ａと縦型頁バーコード１１ｂを比較すると、いずれも縦型のバーコードであるが、バー長手方向である縦方向の長さのみが異なっている。つまり、縦型頁バーコード１１ａは、縦型頁バーコード１１ｂより縦方向の長さが短く構成されている。
【００２６】
そして、縦型頁バーコード１１ａ，１１ｂは、縦線の太さで情報が形成されている。縦型頁バーコード１１ａ，１１ｂの太線同士および細線同士はそれぞれ同一である。また、縦型頁バーコード１１ａ，１１ｂは、バーの合計本数も同じである。従って、太い線と細い線の組合せが同じ縦型頁バーコード１１ａと縦型頁バーコード１１ｂが存在する場合、縦型バーコードで表されたデータの読取り結果としては同じ結果となる。
【００２７】
図４（Ｃ）の通帳４０ｃは、横長（バー長手方向が横）のバーが縦並び配置された第２型バーコードとしての横型頁バーコード１１ｃと、縦長で右側に配置された磁気ストライプ６５ｃが設けられている。  
図４（Ｄ）の通帳４０ｄは、横長（バー長手方向が横）のバーが縦並び配置された第２型バーコードとしての横型頁バーコード１１ｄと、横長で通帳４０ｄの下側部の上下方向中央付近に配置された磁気ストライプ６５ｄが設けられている。
【００２８】
ここで、横型頁バーコード１１ｃと横型頁バーコード１１ｄを比較すると、いずれも横型のバーコードであるが、バー長手方向である横方向の長さのみが異なっている。つまり、横型頁バーコード１１ｃは、横型頁バーコード１１ｄより横方向の長さが長く構成されている。
【００２９】
そして、横型頁バーコード１１ｃと横型頁バーコード１１ｄは、線の本数と線の有る無しのパターンにより情報が形成されている。また、横型頁バーコード１１ｃと横型頁バーコード１１ｄは、バーコードを形成する線間ピッチが同一である。従って、線の有る無しのパターンが同じ横型頁バーコード１１ｃと横型頁バーコード１１ｄが存在する場合、横型バーコードで構成されたデータの読取り結果としては同じ結果となる。
【００３０】
このように４種類の通帳４０が存在する場合、いずれもサイズが同一であるから通帳取扱装置３２の挿入口４１に挿入可能である。しかし、現金自動取引装置３０を扱うユーザは、挿入する通帳４０の種類をあらかじめ入力することをしない。このため、装置にとってはどの通帳が挿入されるかわからない。また、従来のように読取り結果が正常か否かだけでは、同一パターンどうしの判別ができない。つまり、縦型頁バーコード１１ａと１１ｂを区別できず、横型頁バーコード１１ｃと横型頁バーコード１１ｄも区別できない。これに対して、本実施例では、次の認定方法によってバーコード仕様が同一のパターンであっても種類の違いを判別する。
【実施例１】
【００３１】
図５は、図４（Ａ）および図４（Ｂ）に示した同一仕様の縦型バーコード通帳（通帳４０ａおよび通帳４０ｂ）において、頁バーコード１１ａ及び頁バーコード１１ｂの特徴から何れが挿入されたのかを判別する実施例１の判別方法を示す説明図である。
【００３２】
制御部５０は、ラインセンサ１０によるスキャン毎にメモリ５３に白黒判定結果を格納する（ステップＳ１０１）。そして、制御部５０は、バーコードが印刷されている領域内におけるスキャン毎に、前記白黒判定で黒判定された黒画素数（画素量）をカウントする。さらに、制御部５０は、この黒画素数が認識しきい値としての画素数Ｐ１を超えるスキャンが連続する連続スキャン数をカウントする。ここで画素数Ｐ１は、最も黒画素数が少ない状態で印字された頁バーコード１１ａ及び頁バーコード１１ｂをスキャンした際の黒画素数よりも小さい画素数に設定されている。
【００３３】
制御部５０は、取引用媒体種別判定処理を実行し、連続スキャン数（ＹＡまたはＹＢ）と、あらかじめ定義された種別判定しきい値としてのスキャン数しきい値ＹＳとを比較し、連続スキャン数（ＹＢ）がスキャン数しきい値ＹＳより大きければ（ステップＳ１０２：ＹＥＳ）、通帳タイプが通帳４０ｂであると判定し確定する（ステップＳ１０３）。連続スキャン数（ＹＡ）がスキャン数しきい値ＹＳより小さければ（ステップＳ１０：ＮＯ）、通帳タイプが通帳４０ａであると判定し確定する（ステップＳ１０４）。
【００３４】
なお、通帳４０ａと通帳４０ｂの連続スキャン数は、バーコード高さの仕様とスキャンタイミングにより決まる。この実施例の場合、通帳４０ａの連続スキャン数が連続スキャン数ＹＡであり、通帳４０ｂの連続スキャン数がスキャン数ＹＢであることから、あらかじめ設定するスキャン数しきい値ＹＳは、両者の中間付近とするのが好ましい。
【００３５】
また、この実施例では、連続スキャン数がスキャン数しきい値ＹＳを超えるか否かで通帳タイプを判定しているが、しきい値（例えば画素数Ｐ１）を超えるスキャンの開始と終了アドレス情報で通帳タイプを判定してもかまわない。
【実施例２】
【００３６】
図６は、図４（Ｃ）および図４（Ｄ）に示した同一仕様の横型バーコード通帳（通帳４０ｃおよび通帳４０ｄ）において、頁バーコード１１ｃ及び頁バーコード１１ｄの特徴から何れが挿入されたのかを判別する実施例２の判別方法を示す説明図である。
【００３７】
制御部５０は、ラインセンサ１０によるスキャン毎にメモリ５３に白黒判定結果を格納する（ステップＳ１１１）。そして、制御部５０は、バーコードが印刷されている領域内におけるスキャン毎に、前記白黒判定で黒判定された黒画素数をカウントする。さらに、制御部５０は、取引用媒体種別判定処理を実行し、各スキャンの黒画素数のうち最も画素数の多い最大画素数（ＰＣまたはＰＤ）と、あらかじめ定義された種別判定しきい値としての画素数しきい値ＰＳと比較し、最大画素数（ＰＣ）が画素数しきい値ＰＳより大きければ（ステップＳ１１２：ＹＥＳ）、通帳タイプが通帳４０ｃであると判定し確定する（ステップＳ１１３）。最大画素数（ＰＣ）が画素数しきい値ＰＳより小さければ（ステップＳ１１２：ＮＯ）、通帳タイプが通帳４０ｄであると判定し確定する（ステップＳ１１４）。
【００３８】
なお、通帳４０ｃと通帳４０ｄの最大画素数は、バーコード長さの仕様により決まる。この実施例の場合、通帳４０ｃの黒画素数の最大値が最大画素数ＰＣであり、通帳４０ｄの黒画素数の最大値が最大画素数ＰＤであることから、あらかじめ設定する画素数しきい値ＰＳは両者の中間付近とするのが好ましい。
【実施例３】
【００３９】
図７は、１台の通帳取扱装置３２で、図４に示した通帳４０ａ、４０ｂ、４０ｃ、４０ｄの縦バーコードと横バーコードが混在する４種類の媒体種別を判別する場合のフローチャートである。
【００４０】
制御部５０は、１回の読取り動作によりラインセンサ１０でのスキャン毎にメモリ５３に白黒判定結果を格納する（ステップＳ１２１）。そして、制御部５０は、バーコードが印刷されている領域内におけるスキャン毎に、前記白黒判定で黒判定された黒画素数をカウントする。さらに、制御部５０は、この黒画素数が画素数Ｐ１を超えるスキャンがあるか否か判定し、これにより読取った箇所にバーコードが有るか無いかを判定する（ステップＳ１２２）。
【００４１】
画素数Ｐ１の値は、全種類の通帳４０ａ、４０ｂ、４０ｃ、４０ｄの内、バーコード仕様上最も横方向の長さが短い値よりも小さい値を設定しておく。例えば、バーコードの無い頁において汚れにより発生すると考えられる画素数の値と、仕様上最も横方向の長さが短い値との中間値を、画素数Ｐ１としておくのが好ましい。
【００４２】
前記ステップＳ１２１のスキャンに画素数Ｐ１を超えるスキャンが無い場合（ステップＳ１２２：ＮＯ）、制御部５０は、バーコード無しとして処理を行う（ステップＳ１２３）。
【００４３】
画素数Ｐ１を超えるスキャンが有る場合（ステップＳ１２２：ＹＥＳ）、制御部５０は、画素数Ｐ１を超えるスキャンの連続数をカウントし、連続数が型判定しきい値としての縦横判定しきい値Ｙ１を超えるか判定することで縦型バーコードか横型バーコードかを判定する（ステップＳ１２４）。
【００４４】
ここで、縦横判定しきい値Ｙ１の値は、横型頁バーコード１１ｃ，１１ｄの１本分の縦方向の長さ（つまり１本分の太さ）より大きく、かつ縦型バーコードのうち縦方向の長さが短い通帳４０ａの縦型頁バーコード１１ａの連続スキャン数ＹＡよりも小さい値を設定する。この値は、例えば横型バーコード１本分の太さと、短い方の連続スキャン数ＹＡの中間付近とするのが好ましい。
【００４５】
縦型バーコードと判定した場合（ステップＳ１２４：ＹＥＳ）、制御部５０は、取引用媒体種別判定処理を実行し、画素数Ｐ１を超えるスキャンの連続スキャン数と、あらかじめ定義したスキャン数しきい値ＹＳとを比較する（ステップＳ１２５）。
【００４６】
連続スキャン数がスキャン数しきい値ＹＳよりも大きければ、制御部５０は、通帳タイプを通帳４０ｂであると判定し確定する（ステップＳ１２６）。連続スキャン数がスキャン数しきい値ＹＳよりも小さければ、制御部５０は、通帳タイプを通帳４０ａであると判定し確定する（ステップＳ１２７）。
【００４７】
一方、前記ステップＳ１２４で横型バーコードと判定した場合（ステップＳ１２４：ＮＯ）、制御部５０は、取引用媒体種別判定処理を実行し、最大画素数ＰＣ，ＰＤと、あらかじめ定義した画素数しきい値ＰＳとを比較する（ステップＳ１２８）。
【００４８】
最大画素数ＰＤが大きければ（ステップＳ１２８：ＹＥＳ）、制御部５０は、通帳タイプが通帳４０ｃであると判定し確定する（ステップＳ１２９）。最大画素数ＰＣが小さければ（ステップＳ１２８：ＮＯ）、制御部５０は、通帳タイプが通帳４０ｄであると判定し確定する（ステップＳ１３０）。
【００４９】
なお、ステップＳ１２１において、バーコード領域だけでなく通帳全面をスキャンする構成にし、同時に前回までに記帳された行数を判定する構成にすることができる。この場合、１回の動作で通帳の種別判定、バーコード情報の生成、および記帳行数情報の生成を行うことができる。
【００５０】
このようにして通帳種別を判定した後に、図４に示した各通帳４０ａ、４０ｂ、４０ｃ、４０ｄの表紙に付された磁気ストライプ６５ａ、６５ｂ，６５ｃ，６５ｄの磁気ストライプデータを、各通帳種別に対応した読取り方法で読取ることができる。これにより、最短の処理時間で他種類の通帳４０の読取りが実現可能となる。
【００５１】
詳述すると、例えば通帳４０ａと判別した場合、通帳を搬送しながら磁気ヘッド４５を磁気ストライプ６５ａに押し上げ、磁気ストライプ６５ａから磁気ストライプデータを読取る。  
通帳４０ｃと判別した場合、通帳を搬送しながら磁気ヘッド４６を磁気ストライプ６５ｃに押し上げ、磁気ストライプ６５ｃから磁気ストライプデータを読取る。  
通帳４０ｂと判別した場合、磁気ストライプ６５ｂが磁気ヘッド４７の移動線上となる位置に通帳を停止した状態で磁気ヘッド４７を通帳挿入方向と直交する方向に移動し、磁気ストライプ６５ｂに押し付けながら磁気ストライプデータを読取る。  
通帳４０ｄと判別した場合、磁気ストライプ６５ｄが磁気ヘッド４７移動線上となる位置に通帳を停止した状態で磁気ヘッド４７を通帳挿入方向と直交する方向に移動し、磁気ストライプ６５ｄに押し付けながら磁気ストライプデータを読取る。  
そして、頁バーコード情報、磁気ストライプデータ、記帳行数情報をセンター装置３１内の記憶装置３７内の前回取引データや顧客情報と照合し、正常であればその後の記帳処理を行う。
【００５２】
以上に説明した各実施例により、同種のバーコードが付されているが通帳としての種別が異なる通帳４０ａ、４０ｂや通帳４０ｃ、４０ｄについて、通帳種別を判定することができる。特に実施例３では、４種類の通帳４０ａ、４０ｂ、４０ｃ、４０ｄのうちどれが挿入されても、いずれの通帳種別であるかを判定することができる。
【００５３】
また、ラインセンサ１０の視野範囲内のバーコードであれば、一度のスキャン動作で通帳４０のバーコード情報を読取り、媒体の種別を判定することができる。従って、従来のように各種別での読取り方式を順番に実行する必要がなく、通帳４０の種別判定の処理時間を短縮することができる。
【００５４】
また、読取り成功するか否かだけでは正確に通帳種別を判定できないような同種のバーコードが付されている異種の通帳についても、問題なく通帳種別を判定することができる。
【００５５】
また、従来のバーコードのタイプの違いによる判定の場合、縦型バーコード同士や横型バーコード同士といった同一タイプのバーコードでは、ともに読取りが正常にできてしまい区別することができなかったが、上述した実施例により、同一タイプのバーコードであっても、通帳４０の種別を判定することができる。
【００５６】
なお、上述した各実施例では、搬送方向に対して垂直方向に並んだ画像読取用のラインセンサ１０により、通帳４０を搬送しながらスキャンすることでバーコードの画像情報を取得したが、これに限らず通帳４０を固定してラインセンサ１０を移動することでバーコードの画像情報を取得してもよい。この場合も、上述した各実施例と同じ処理で通帳４０の種別を判定することができる。
【００５７】
この発明は、上述の実施形態の構成のみに限定されるものではなく、多くの実施の形態を得ることができる。
【図面の簡単な説明】
【００５８】
【図１】自動取引システムの接続構成図。
【図２】通帳取扱装置の制御部のブロック図。
【図３】通帳取扱装置の構成図。
【図４】４種類の通帳の構成を説明する説明図。
【図５】実施例１の判別方法を示す説明図。
【図６】実施例２の判別方法を示す説明図。
【図７】実施例３で４種類の媒体種別を判別する場合のフローチャート。
【符号の説明】
【００５９】
１０…ラインセンサ、１１…頁バーコード、１１ａ，１１ｂ…縦型頁バーコード、１１ｃ，１１ｄ…横型頁バーコード、３２…通帳取扱装置、４０（４０ａ，４０ｂ，４０ｃ，４０ｄ）…通帳、４４…搬送ローラー、５０…制御部、Ｐ１…画素数、Ｙ１…縦横判定しきい値、ＹＳ…スキャン数しきい値、ＰＳ…画素数しきい値
【図１】
2008310386.tif 000003
【図２】
2008310386.tif 000004
【図３】
2008310386.tif 000005
【図４】
2008310386.tif 000006
【図５】
2008310386.tif 000007
【図６】
2008310386.tif 000008
【図７】
2008310386.tif 000009